(57)【特許請求の範囲】
【請求項１】
複数の辺を有する電気光学パネルと、
前記複数の辺のうち一の辺において前記電気光学パネルと電気的に接続された信号配線を含む信号配線基板と、
可撓性を有し且つ帯状に延び、一端において前記複数の辺のうち他の辺に接続されると共に、少なくとも他端において前記電気光学パネルの熱を放散する放熱部材とを備え、
前記信号配線基板は、一方の面に前記信号配線を含む信号配線層と、他方の面にグランド配線とを有し、
前記信号配線層は、前記グランド配線とスルーホールを介して電気的に接続された他のグランド配線を含むことを特徴とする電気光学装置。
【請求項２】
前記電気光学パネルは、前記一の辺に沿って信号入出力用の電極パッドが配列されており、前記他の辺に沿って少なくとも放熱用に機能し得る放熱用部位が配列又は配置されており、
前記信号配線基板は、前記一の辺において前記電極パッドと電気的に接続されており、
前記放熱部材は、前記一端において前記放熱用部位に接続されると共に、前記電気光学パネルの熱を、前記放熱用部位から受けて放散する
ことを特徴とする請求項１に記載の電気光学装置。
【請求項３】
前記放熱用部位は少なくとも部分的に、前記信号入出力用の他の電極パッドとして機能し、
前記放熱部材は、前記放熱用部位に電気的に接続されると共に前記電気光学パネルの熱を放散する放熱配線を含む、放熱配線基板であることを特徴とする請求項２に記載の電気光学装置。
【請求項４】
前記放熱配線は、所定電位とされることを特徴とする請求項３に記載の電気光学装置。
【請求項５】
前記放熱配線は、ベタ状に形成されていることを特徴とする請求項３又は４に記載の電気光学装置。
【請求項６】
前記放熱配線基板は、
可撓性の基材と、
該基材内に、前記放熱配線として、前記基材の厚み方向に複数層に渡って層間絶縁膜を介して積層形成されている多層配線と
を含み、
前記多層配線は、前記層間絶縁膜に開けられたスルーホールを介して相互に接続されている
ことを特徴とする請求項３乃至５のいずれか一項に記載の電気光学装置。
【請求項７】
前記放熱部材は、前記他端において前記放熱部材の熱を吸収するための、当該電気光学装置又は当該電気光学装置が実装される装置の一部に接続されることを特徴とする請求項１乃至６のいずれか一項に記載の電気光学装置。
【請求項８】
前記グランド配線は、ベタ状に形成されていることを特徴とする請求項１に記載の電気光学装置。
【請求項９】
前記放熱部材は、金属テープであることを特徴とする請求項１乃至８のいずれか一項に記載の電気光学装置。
【請求項１０】
請求項１乃至９のいずれか一項に記載の電気光学装置を備えることを特徴とする電子機器。
【発明の詳細な説明】
【技術分野】
【０００１】
本発明は、例えば液晶装置等の電気光学装置、及びこれを備えた、例えば液晶プロジェクタ等の電子機器に関し、特に、電気光学装置の熱を放散する放熱部材の技術分野に関する。
【背景技術】
【０００２】
この種の電気光学装置では、例えば熱による表示画像の品質の劣化防止が図られる。このため、例えば特許文献１には、表示パネルを収容する金属製のケースの表面にフィンを形成することによって、放熱性を向上する技術が記載されている。
【０００３】
【特許文献１】特開２００３−１５１０４号公報
【発明の開示】
【発明が解決しようとする課題】
【０００４】
しかしながら、電気光学装置の小型化に伴いケースが小さくなると、仮に、上述の背景技術のようにケース表面にフィンを形成しても、電気光学装置の熱が十分には放散されない可能性があるという技術的問題点がある。
【０００５】
本発明は、例えば上記問題点に鑑みてなされたものであり、熱を効率的に放散することができる電気光学装置、及びこれを備える電子機器を提供することを課題とする。
【課題を解決するための手段】
【０００６】
本発明の電気光学装置は、上記課題を解決するために、複数の辺を有する電気光学パネルと、前記複数の辺のうち一の辺において前記電気光学パネルと電気的に接続された信号配線を含む信号配線基板と、可撓性を有し且つ帯状に延び、一端において前記複数の辺のうち他の辺に接続されると共に、少なくとも他端において前記電気光学パネルの熱を放散する放熱部材とを備え、前記信号配線基板は、一方の面に前記信号配線を含む信号配線層と、他方の面にグランド配線とを有し、前記信号配線層は、前記グランド配線とスルーホールを介して電気的に接続された他のグランド配線を含む。
【０００７】
本発明の電気光学装置によれば、例えば液晶パネル等である電気光学パネルは、例えば電気光学パネル上の画素領域における表示動作等の電気光学動作を行う。ここに、「画素領域」とは、個々の画素の領域を意味するのではなく、複数の画素が平面配列された領域全体を意味し、典型的には、「画像表示領域」或いは「表示領域」に相当する。
【０００８】
電気光学パネルは、該電気光学パネル上で平面的に見て、例えば矩形をしており、４つの辺を有している。例えばフレキシブル基板である信号配線基板は、電気光学パネルの一の辺において、該電気光学パネルと電気的に接続された信号配線を含んでいる。
【０００９】
例えば、フレキシブル基板や金属テープ等である可撓性を有し且つ帯状に延びる放熱部材の一端は、電気光学パネルの他の辺（例えば、信号配線基板が接続されている辺の対辺）に接続されている。放熱部材は、少なくとも他端において電気光学パネルの熱を放散する。具体的には例えば、放熱部材の他端が、当該電気光学装置が実装される装置の筐体等における金属部分に接続されることによって、電気光学パネルの熱を放散する。或いは、例えば空冷ファン等からの風によって放熱部材が冷却されることによって、電気光学パネルの熱を放散する。尚、放熱部材の他端は、例えば、当該電気光学装置が実装される電子機器等の筐体等に接続されていてもよいし、どこにも接続されていなくてもよい。
【００１０】
本願発明者の研究によれば、一般に、電気光学装置は、電気光学パネルを収容する収容ケースを備えており、該収容ケースを金属等の熱伝導率の高い材料で構成することによって、放熱部材として利用している。他方、電気光学装置の小型化に伴い収容ケースが小さくなると、収容ケースの表面積が小さくなり、放熱用のフィン等を設けたとしても電気光学パネルの熱が十分には放散されない可能性がある。加えて、収容ケースは、その形状がある程度規格化されているため、例えばフィン等を形成するにしても、形成場所や形状等の自由度が小さいことが判明している。
【００１１】
しかるに本発明では、電気光学パネルに接続され、可撓性を有する放熱部材を備えている。このため、収容ケース及び放熱部材によって電気光学パネルの熱が放散される。本発明では特に、放熱部材の表面積が収容ケースの表面積よりも大きくなるように放熱部材が構成されている。従って、当該電気光学装置の放熱に係る表面積を飛躍的に増加することができる。
【００１２】
特に、放熱部材は可撓性を有しており且つ一端にて電気光学パネルに接続されていると共に他端側に向かって帯状に延在している。このため、例えば真っ直ぐな放熱用フィンの存在を許さないような折れ曲がった空間であっても、当該電気光学装置が配置される場所に応じて、放熱部材を配置することができ、空間を有効利用することができる。例えば、可撓性を有する放熱部材の他端を、僅かな或いは曲がりくねった隙間を縫って、当該電気光学パネルが実装される装置の筐体外や該筐体内の冷却用ファンの正面や冷却媒質中などに、配置することも可能となる。従って、当該電気光学装置が実装される電子機器等の小型化を妨げることはない。
【００１３】
また、放熱部材をフレキシブル基板によって構成すれば、例えばフレキシブル基板である信号配線基板の接続工程と同一工程において、放熱部材を電気光学パネルに接続することができる。加えて、フレキシブル基板に係る蓄積技術を利用可能であり、実用上非常に有利である。更に、放熱部材を、例えばグランド配線として電気光学パネル内に配設されたグランド配線と電気的に接続すれば、より効果的に電気光学パネルの熱を放散することができる。
【００１４】
以上の結果、本発明の電気光学装置によれば、電気光学パネルの熱を効率的に放散することができる。
【００１５】
本発明の電気光学装置の一態様では、前記電気光学パネルは、前記一の辺に前記電気光学動作に係る信号入出力用の電極パッドが配列されており、前記他の辺に少なくとも放熱用に機能し得る放熱用部位が配列又は配置されており、前記信号配線基板は、前記一の辺において前記電極パッドと電気的に接続されており、前記放熱部材は、前記一端において前記放熱用部位に接続されると共に、前記電気光学パネルの熱を、前記放熱用部位から受けて放散する。
【００１６】
この態様によれば、例えば外部回路接続端子等である電極パッドは、電気光学動作に係る信号入出力用に使用されると共に、電気光学パネルの一の辺に配列されている。信号配線基板は、一の辺において電極パッドと電気的に接続されている。
【００１７】
放熱用部位は、放熱用に機能し得ると共に、電気光学パネルの他の辺に配列又は配置されている。放熱部材は、その一端が放熱用部位に接続されることによって、放熱用部位を介して電気光学パネルの熱を受けて放散する。尚、本発明に係る「放熱用部位」は、表面を構成する膜或いは層とは異なる、典型的には熱伝導性に優れた材料の膜或いは層から構成されており、表面において島状に露出している或いは表面に埋め込まれている。また、「放熱用部位が配列又は配置されている」とは、例えば各々が矩形である複数の放熱用部位が他の辺に沿って一列或いは複数列などに配列されていることを意味するが、他の辺に沿って延びる長手状のパッドが一つ配置されている場合も含む。更に長手状のパッドは、二辺以上に沿って延びていてもよい。
【００１８】
本発明の電気光学装置の他の態様では、前記放熱用部位は少なくとも部分的に、前記電気光学動作に係る信号入出力用の他の電極パッドとしても機能し、前記放熱部材は、前記放熱用部位に電気的に接続されると共に前記電気光学パネルの熱を放散する放熱配線を含む、放熱配線基板である。
【００１９】
この態様によれば、放熱用部材は、少なくとも部分的に、電気光学動作に係る信号入出力用の、又は電源供給用の他の電極パッドとしても機能する。放熱部材は、放熱用部位に電気的に接続されると共に電気光学パネルの熱を放散する放熱配線を含む、例えばフレキシブル基板である放熱配線基板である。ここに、本発明に係る「放熱配線」は、熱を放散する放熱機能に加えて、信号配線又は電源配線等の配線の機能を有することが可能である。尚、放熱用部位及び放熱部材は、専ら放熱用にのみ機能してもよい。この場合は、放熱配線を保護する例えばポリイミド等の絶縁保護膜を設けなくてもよい。これにより、放熱効果を向上することができる。
【００２０】
放熱部材が放熱配線基板である態様では、前記放熱配線は、所定電位とされていてよい。
【００２１】
このように構成すれば、放熱配線の電位変動が、例えば信号配線に入力される信号等に対して、電磁ノイズとして悪影響を及ぼすことを回避することができる。
【００２２】
ここに、本発明に係る「所定電位」とは、例えば画像信号等の信号の内容によらずに少なくとも所定期間ずつ固定された電位を意味する。例えば、接地電位或いはグランド電位の如く、時間軸に対して完全に一定電位に固定された固定電位であってもよい。或いは、共通電位或いは対向電極電位の如く、例えば画像信号に係る奇数フィールド期間で第１の固定電位に固定されると共に偶数フィールド期間で第２の固定電位に固定されるというように、時間軸に対して一定期間ずつ一定電位に固定された固定電位であってもよい。
【００２３】
放熱部材が放熱配線基板である態様では、前記放熱配線は、ベタ状に形成されていてよい。
【００２４】
このように構成すれば、放熱に係る表面積を増加することができ、実用上非常に有利である。
【００２５】
放熱部材が放熱配線基板である態様では、前記放熱配線基板は、可撓性の基材と、該基材内に、前記放熱配線として、前記基材の厚み方向に複数層に渡って層間絶縁膜を介して積層形成されている多層配線とを含み、前記多層配線は、前記層間絶縁膜に開けられたスルーホールを介して相互に接続されていてもよい。
【００２６】
このように構成すれば、放熱配線基板の熱容量を増加することができ、実用上非常に有利である。ここに「スルーホール」とは、層間絶縁膜に貫通孔が開けられ、その内部に多層配線の延在部分で満たされているか、別途、導電性の金属でプラグをされたものを意味し、コンタクトホールと同義である。
【００２７】
本発明の電気光学装置の他の態様では、前記放熱部材は、前記他端において前記放熱部材の熱を吸収するための、当該電気光学装置又は当該電気光学装置が実装される装置の一部に接続される。
【００２８】
この態様によれば、放熱部材は、その他端が当該電気光学装置又は当該電気光学装置が実装される装置の放熱部材の熱を吸収するための、例えば金属製の部材等の一部に接続される。これにより、より効率的に電気光学パネルの熱を放散することができ、実用上非常に有利である。尚、放熱部材は、他端において、特に接続されることなく、冷却用の媒質に接触するように配置されてもよい。また、放熱部材における一端を除くと共に他端を含む主要部分の全域を、放熱部材の熱を吸収するための部材又は部位に接続したり、冷却用の媒質に接触したりするように構成してもよい。
【００２９】
本発明の電気光学装置の他の態様では、前記信号配線基板は、前記信号配線を含む信号配線層と、グランド配線を含むグランド配線層とを有し、前記電気光学パネルの熱を前記信号配線層及び前記グランド配線層を介して放散する。
【００３０】
この態様によれば、信号配線基板は、信号配線層及びグランド配線層を有する、例えば多層フレキシブル基板である。信号配線層及びグランド配線層を介して電気光学パネルの熱を放散することによって、放熱効果を向上することができる。加えて、信号配線基板に形成された信号配線等を含む回路の高度化、複雑化を比較的容易に実現することができ、実用上非常に有利である。
【００３１】
グランド配線層を有する態様では、前記グランド配線は、ベタ状に形成されていてよい。
【００３２】
このように構成すれば、グランド配線の電位を安定させることができ、ＥＭＩ（Ｅｌｅｃｔｒｏ−Ｍａｇｎｅｔｉｃ  Ｉｎｔｅｒｆｅｒｅｎｃｅ）ノイズの発生を抑制することができる。
【００３３】
グランド配線層を有する態様では、前記信号配線基板は、一方の表面側に前記信号配線層を有し、他方の表面側に前記グランド配線を有し、前記信号配線層は、前記グランド配線とスルーホールを介して電気的に接続された他のグランド配線を含んでよい。
【００３４】
このように構成すれば、電気光学パネルの熱を、他のグランド配線及びスルーホールを介して積極的に、例えばベタ状に形成された前記グランド配線に伝えることができ、効率的に電気光学パネルの熱を放散することができる。
【００３５】
本発明の電気光学装置の他の態様では、前記放熱部材は、金属テープである。
【００３６】
この態様によれば、放熱部材は、例えば銅やアルミニウム等の熱伝導率の高い金属を含んでなる金属テープである。このため、当該電気光学装置の製造コストの増加を抑制することができ、実用上非常に有利である。
【００３７】
本発明の電子機器は上記課題を解決するために、上述した本発明の電気光学装置（但し、その各種態様を含む）を備える。
【００３８】
本発明の電子機器によれば、上述した本発明の電気光学装置を備えてなるので、電気光学装置の熱を効率的に放散することができる。このため、高品質な画像を表示可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００３９】
本発明の作用及び他の利得は次に説明する実施するための最良の形態から明らかにされよう。
【発明を実施するための最良の形態】
【００４０】
以下、本発明の電気光学装置に係る実施形態を図面に基づいて説明する。尚、以下の実施形態では、本発明の電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を例に挙げる。
【００４１】
＜第１実施形態＞
本発明の電気光学装置に係る第１実施形態を、図１乃至図６を参照して説明する。尚、以下の図では、各層・各部材を図面上で認識可能な程度の大きさとするため、該各層・各部材ごとに縮尺を異ならしめてある。
【００４２】
先ず、本実施形態に係る液晶装置の全体構成について、図１を参照して説明する。ここに、図１は、本実施形態に係る液晶装置を対向基板の側からみた平面図である。
【００４３】
図１において、液晶装置１は、液晶パネル１００と、該液晶パネル１００と電気的に接続された信号配線を含む信号用フレキシブル基板２１０と、液晶パネル１００の熱を放散する放熱用フレキシブル基板２２１、２２２及び２２３とを備えて構成されている。ここに、本実施形態に係る「液晶パネル１００」、「信号用フレキシブル基板２１０」及び「放熱用フレキシブル基板２２１、２２２及び２２３」は、夫々、本発明に係る「電気光学パネル」、「信号配線基板」及び「放熱配線基板」の一例である。
【００４４】
尚、放熱用フレキシブル基板の数は、３つに限らず、１つ又は２つでもよいし、４つ以上設けられていてもよい。放熱用フレキシブル基板の数が１つ又は２つである場合は、液晶装置１が実装される、例えば液晶プロジェクタ等の電子機器において、液晶パネル１００の風上側に放熱用フレキシブル基板を設けることが望ましい。放熱用フレキシブル基板が４つ以上の場合は、例えば、液晶パネル１００の両面に設ければよい。
【００４５】
次に、液晶パネル１００について、図２及び図３を参照して説明を加える。ここに図２は、ＴＦＴアレイ基板をその上に形成された各構成要素と共に対向基板の側から見た平面図であり、図３は、図２のＨ−Ｈ´線断面図である。
【００４６】
図２及び図３において、本実施形態の液晶パネル１００では、ＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間に液晶層５０が封入されており、ＴＦＴアレイ基板１０と対向基板２０とは、複数の画素が設けられた領域に対応する、本発明に係る「画素領域」の一例としての画像表示領域１０ａの周囲に位置するシール領域５２ａに設けられたシール材５２により相互に接着されている。
【００４７】
シール材５２は、両基板を貼り合わせるための、例えば紫外線硬化樹脂や熱硬化樹脂、又は紫外線・熱併用型硬化樹脂等からなり、製造工程においてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４８】
図２において、シール材５２が配置されたシール領域５２ａの内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４９】
周辺領域のうち、シール材５２が配置されたシール領域５２ａの外側に位置する領域には、本発明に係る「電極パッド」の一例としての外部回路接続端子１０２がＴＦＴアレイ基板１０の一辺に沿って設けられている。この一辺に沿って、データ線駆動回路１０１より内側にサンプリング回路７が額縁遮光膜５３に覆われるようにして設けられている。走査線駆動回路１０４は、この一辺に隣接する２辺に沿った額縁領域に、額縁遮光膜５３に覆われるようにして設けられている。
【００５０】
また、シール領域５２ａの外側に位置する領域には、放熱用フレキシブル基板２２１、２２２及び２２３に対応して夫々設けられた放熱部材接続端子２３１、２３２及び２３３がＴＦＴアレイ基板１０の一辺に沿って形成されている。ここに、本実施形態に係る「放熱部材接続端子２３１、２３２及び２３３」は、本発明に係る「放熱用部位」の一例である。
【００５１】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、走査線駆動回路１０４、上下導通端子１０６等とを電気的に接続するための引回配線９０が形成されている。
【００５２】
図３において、ＴＦＴアレイ基板１０上には、駆動素子である画素スイッチング用のＴＦＴや走査線、データ線等の配線が作り込まれた積層構造が形成される。この積層構造の詳細な構成については図３では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００５３】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００５４】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００５５】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図３には図示しないカラーフィルタが形成されるようにしてもよい。対向基板２０の対向面上における、対向電極２１上には、配向膜２２が形成されている。
【００５６】
液晶層５０を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００５７】
尚、図２及び図３に示したＴＦＴアレイ基板１０上には、これらの走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００５８】
次に、信号用フレキシブル基板２１０、並びに放熱用フレキシブル基板２２１、２２２及び２２３について、図４乃至図６を参照して説明を加える。ここに、図４は、図１に示した液晶装置１における液晶パネル１００の右下隅を拡大して示した拡大平面図であり、図５は、図４のＡ−Ａ´線断面図であり、図６は、図４のＢ−Ｂ´線断面図である。尚、以降の図においては、図２及び図３で示した、液晶パネル１００の詳細な部材については適宜省略し、直接関連のある部材のみを示す。
【００５９】
図４において、本発明に係る「信号配線」の一例としての配線２１１を含む信号用フレキシブル基板２１０は、配線２１１が外部回路接続端子１０２と電気的及び機械的に接続されることによって、液晶パネル１００に接続される。本発明に係る「放熱配線」の一例としての配線２２１ａを含む放熱用フレキシブル基板２２１は、配線２２１ａが放熱部材接続端子２３１と電気的及び機械的に接続されることによって、液晶パネル１００に接続される。
【００６０】
図５に示すように、ＴＦＴアレイ基板１０上には３つの導体層が形成されている。即ち、層間絶縁膜４３の上に形成された放熱部材接続端子２３１を含む層、層間絶縁膜４２の上に形成された配線７１を含む層、及び層間絶縁膜４１の上に形成された配線７２を含む層の３つの導体層がＴＦＴアレイ基板１０上に存在する。放熱部材接続端子２３１、並びに配線７１及び７２は、例えばアルミニウム等の金属を含んで構成されている。
【００６１】
層間絶縁膜４１、４２及び４３は、例えばＳｉＯ２等の無機絶縁材料から形成されている。このため、例えば、シール材５２を硬化させるために照射される紫外線や、当該液晶装置をライトバルブとして使用する際に照射される強い光によって、層間絶縁膜４１、４２及び４３が劣化することを防止することができる。
【００６２】
尚、放熱用フレキシブル基板２２２及び２２３の構成は、典型的には、放熱用フレキシブル基板２２１の構成と同様である。
【００６３】
本実施形態では特に、放熱用フレキシブル基板２２１乃至２２３を、液晶パネル１００の熱を放散する放熱部材として使用しているため、液晶パネル１００を収容する収容ケースのみで放熱を行う場合に比べて、放熱に係る表面積を飛躍的に増加することができ、液晶パネル１００の熱を効率的に放散することができる。他方、液晶装置１が配置される場所に応じて、放熱用フレキシブル基板２２１乃至２２３を配置することができ、即ち、可撓性を有するため、放熱用フレキシブル基板２２１乃至２２３を配置する空間の選択の自由度が高く、空間を有効利用することができる。
【００６４】
図６に示すように、信号用フレキシブル基板２１０は、２つの導体層を有している。即ち、信号用フレキシブル基板２１０は、多層フレキシブル基板である。配線２１１を含む層は、例えばポリイミド等の層間絶縁膜２１４及び２１５間に配置され、グランド配線２１２を含む層は、層間絶縁膜２１３及び２１４間に配置されている。
【００６５】
配線２１１は、例えば画像信号等の信号が入力される信号配線の他に、グランド配線２１１ａを含んでおり、該グランド配線２１１ａは、スルーホール２１４ａを介して、ベタ状に形成されたグランド配線２１２に電気的に接続されている。これにより、グランド配線の電位を安定させることができ、ＥＭＩノイズの発生を抑制することができる。
【００６６】
尚、図６では、配線２１１が、層間絶縁膜２１５によって覆われているが、配線２１１と外部回路接続端子１０２との接点では、層間絶縁膜２１５が取り除かれ配線２１１が露出している。
【００６７】
尚、放熱用フレキシブル基板２２１は、配線２２１ａを含む導電層の他に、複数の導電層を含んでいてもよい。この場合、放熱用フレキシブル基板２２１の断面は、例えば図６で示した信号用フレキシブル基板２１０のＢ−Ｂ´線断面図と同様の構成となる。
【００６８】
（第１変形例）
次に、第１実施形態に係る第１変形例について、図７を参照して説明する。ここに、図７は、図５と同趣旨の、図４のＡ−Ａ´線断面図である。本変形例では、放熱用フレキシブル基板２２１の配線２２１ａは、グランド配線を兼ねている。即ち、配線２２１ａの電位がグランド電位とされている。
【００６９】
図７に示すように、本変形例では、放熱部材接続端子２３１は、スルーホール４３ａを介して、グランド配線である配線７１に接続されており、配線７１は、スルーホール４２ａを介して、グランド配線である配線７２に接続されている。これにより、放熱用フレキシブル基板２２１は、液晶パネル１００表面の熱だけでなく、配線７１及び７２を伝わる熱（即ち、液晶パネル１００内部の熱）も放散することができる。
【００７０】
（第２変形例）
次に、第１実施形態に係る第２変形例について、図８を参照して説明する。ここに、図８は、図４と同趣旨の、図１に示した液晶装置１における液晶パネル１００の右下隅を拡大して示した拡大平面図である。
【００７１】
図８に示すように、本変形例では、放熱用フレキシブル基板２２１において配線２２１ａは、ベタ状に形成されている。これにより、放熱に係る表面積をより増加することができる。
【００７２】
（第３変形例）
次に、第１実施形態に係る第３変形例について、図９を参照して説明する。ここに、図９は、図１に示した液晶装置１における液晶パネル１００の右上隅を拡大して示した拡大平面図である。
【００７３】
図９に示すように、本変形例では、ＴＦＴアレイ基板１０の辺に沿って帯状に形成された放熱部材接続端子２３４が形成されている。放熱部材接続端子２３４は、典型的には、図２において放熱部材接続端子２３１、２３２及び２３３が形成されている辺の全てに沿って形成されている。これにより、放熱部材接続端子２３４を放熱部材として利用することができる。また、仮に一つの放熱用フレキシブル基板のみ備える液晶装置であっても、複数の放熱用フレキシブル基板を備える液晶装置に近い放熱効果を得ることができる。
【００７４】
＜第２実施形態＞
次に、本発明の電気光学装置に係る第２実施形態を説明する。第２実施形態では、放熱用フレキシブル基板に代えて金属テープが使用されている以外は、第１実施形態と同様である。よって、第２実施形態について、第１実施形態と重複する説明を省略する。
【００７５】
本実施形態では、図１に示した液晶装置１における放熱用フレキシブル基板２２１乃至２２３に代えて、例えばアルミニウム等の比較的熱伝導率の高い金属を含んで形成される金属テープが接続されている。これにより、効率的に液晶パネル１００の熱を放散することができると共に、製造コスト等の増加を抑制することができる。
【００７６】
次に、本発明の電気光学装置に係る第３実施形態を、図１０を参照して説明する。第３実施形態では、放熱用フレキシブル基板の他端が、当該電気光学装置が実装される装置の一部に接続されている以外は、第１実施形態と同様である。よって、第３実施形態について、第１実施形態と重複する説明を省略すると共に、図面上における共通箇所には同一符号を付して示し、基本的に異なる点についてのみ、図１０を参照して説明する。ここに、図１３は、本実施形態に係る液晶装置が実装される装置における当該液晶装置の実装の概念を示す概念図である。
【００７７】
図１０に示すように、液晶装置１は、収容ケース３１０に収容されており、該収容ケース３１０が例えばネジ等によって、液晶装置１が実装される装置の、例えば金属製の筐体壁３２１に固定される。信号用フレキシブル基板２１０の液晶パネル１００に接続されている一端とは反対側の他端は、例えば図示しないマザーボード等に接続されている。
【００７８】
放熱用フレキシブル基板２２２は、筐体壁３２１及び３２２間の間隙の所定位置に、ガイド用部材３２３及び３２４によって配置されると共に、放熱用フレキシブル基板２２２の液晶パネル１００に接続されている一端とは反対側の他端は、例えばモールド剤等である接着剤３４０によって筐体壁３２１に接続されている。
【００７９】
そして、図１０に示すように、冷却用ファン３３１を含むファンモジュール３３０によって放熱用フレキシブル基板２２２の他端付近が冷却されることによって、より効率的に熱を放散することができる。仮に、ファンモジュール３３０を液晶装置１の近傍に配置することができなくても、放熱用フレキシブル基板２２２の他端をファンモジュール３３０の近傍まで延長すればよく、ファンモジュール３３０の配置の自由度を向上させることができ、実用上非常に有利である。
【００８０】
＜電子機器＞
次に、図１１を参照しながら、上述した液晶装置を電子機器の一例であるプロジェクタに適用した場合を説明する。上述した液晶装置における液晶パネル１００は、プロジェクタのライトバルブとして用いられている。図１１は、プロジェクタの構成例を示す平面図である。
【００８１】
図１１に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８２】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８３】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００８４】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８５】
尚、図１１を参照して説明した電子機器の他にも、モバイル型のパーソナルコンピュータや、携帯電話、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８６】
尚、本発明は、上述した実施形態に限られるものではなく、請求の範囲及び明細書全体から読み取れる発明の要旨、或いは思想に反しない範囲で適宜変更可能であり、そのような変更を伴う電気光学装置、及び該電気光学装置を具備してなる電子機器もまた、本発明の技術的範囲に含まれるものである。
【図面の簡単な説明】
【００８７】
【図１】第１実施形態に係る液晶装置を対向基板の側からみた平面図である。
【図２】第１実施形態に係る液晶パネルの全体構成を示す平面図である。
【図３】図２のＨ−Ｈ´線断面図である。
【図４】第１実施形態に係る液晶パネルの右下隅を拡大して示す拡大平面図である。
【図５】図４のＡ−Ａ´線断面図である。
【図６】図４のＢ−Ｂ´線断面図である。
【図７】第１実施形態の第１変形例に係る液晶パネルのＡ−Ａ´線断面図である。
【図８】第１実施形態の第２変形例に係る液晶パネルの右下隅を拡大して示す拡大平面図である。
【図９】第１実施形態の第３変形例に係る液晶パネルの右上隅を拡大して示す拡大平面図である。
【図１０】第３実施形態に係る液晶装置が実装される装置における当該液晶装置の実装の概念を示す概念図である。
【図１１】電気光学装置を適用した電子機器の一例たるプロジェクタの構成を示す平面図である。
【符号の説明】
【００８８】
１…液晶装置、１０…ＴＦＴアレイ基板、２０…対向基板、１００…液晶パネル、１０２…外部回路接続端子、２１０…信号用フレキシブル基板、２１１、２１２、２２１ａ…配線、２２１、２２２、２２３…放熱用フレキシブル基板、２３１、２３２、２３３、２３４…放熱部材接続端子
【図１】
0005115153.tif 000002
【図２】
0005115153.tif 000003
【図３】
0005115153.tif 000004
【図４】
0005115153.tif 000005
【図５】
0005115153.tif 000006
【図６】
0005115153.tif 000007
【図７】
0005115153.tif 000008
【図８】
0005115153.tif 000009
【図９】
0005115153.tif 000010
【図１０】
0005115153.tif 000011
【図１１】
0005115153.tif 000012